(57)【要約】【課題】ユーザーの好みに合った運転モードでの運転が可能な空気調和機を提供する。【解決手段】室内の設定温度、室内温度、室外側ユニット（図示せず）の室外吸い込み温度を記憶する温度記憶手段Ｂ６と、室内側ユニット（図示せず）の室内吸い込み温度と室外吸い込み温度と温度記憶手段Ｂ６に記憶された設定温度より自動運転における冷房・除湿もしくは暖房の判定を行なう運転モード判定手段Ｂ４と、運転モード判定手段Ｂ４により判定されたモードで運転中に、ユーザーにより手動で運転モードの変更が行われたことを検知する手動モード変更検知手段Ｂ５とを備え、運転モードが冷房系から暖房又はその逆へ手動で変更された場合、そのときの室内吸い込み温度と、室外吸い込み温度と、室内設定温度より運転モード判定の閾値を補正するもので、次回の運転からは、そのユーザーの好みに合った運転モードで運転することができ、快適性の向上を図ることができる。【選択図】図２
2010261610.tif 000002
【特許請求の範囲】
【請求項１】
室内側ユニットと室外側ユニットから構成され、前記室内側ユニットの吸い込み温度を検知する室内吸い込み温度検知手段と、前記室外側ユニットの吸い込み温度を検知する室外吸い込み温度検知手段と、室内の設定温度、室内温度、室外吸い込み温度を記憶する温度記憶手段と、前記室内吸い込み温度検知手段により検知された室内吸い込み温度と前記室外吸い込み温度検知手段により検知された室外吸い込み温度と前記温度記憶手段に記憶された設定温度より自動運転における冷房・除湿もしくは暖房の判定を行なう運転モード判定手段と、前記運転モード判定手段により判定されたモードで運転中に、ユーザーにより手動で運転モードの変更が行われたことを検知する手動モード変更検知手段とを備え、運転モードが冷房系から暖房又はその逆へ手動で変更された場合、そのときの前記室内吸い込み温度と、前記室外吸い込み温度と、前記室内設定温度より運転モード判定の閾値を補正することを特徴とする空気調和機。
【請求項２】
運転開始からの時間がある一定時間以上経過した場合には、運転モード判定の閾値の補正を行わないことを特徴とする請求項１に記載の空気調和機。
【請求項３】
一定時間内に運転モードが変更前のモードもしくは自動モードに戻された場合には、運転モード判定の閾値の補正を解除することを特徴とする請求項１または２に記載の空気調和機。
【発明の詳細な説明】
【技術分野】
【０００１】
本発明は、空気調和機に関するもので、特に空気調和機の運転制御に関するものである。
【背景技術】
【０００２】
従来の空気調和機においては、一定時間経過時に室内側ユニットの吸い込み温度、室外側ユニットの吸い込み温度、設定温度に基づいて、自動運転における冷房・除湿もしくは暖房の判定を行っていた（例えば、特許文献１参照）。
【先行技術文献】
【特許文献】
【０００３】
【特許文献１】特開平８−１２８７０２号公報
【発明の概要】
【発明が解決しようとする課題】
【０００４】
しかしながら、上記従来の空気調和機の制御では、春や秋などの時期では、場合によってはユーザーの思い通りの運転モードにはならない、という課題があった。
【０００５】
本発明は、上記従来の課題を解決するもので、ユーザーの好みに合った運転モードでの運転が可能な空気調和機を提供する。
【課題を解決するための手段】
【０００６】
前記従来の課題を解決するために、本発明の空気調和機は、室内側ユニットと室外側ユニットから構成され、前記室内側ユニットの吸い込み温度を検知する室内吸い込み温度検知手段と、前記室外側ユニットの吸い込み温度を検知する室外吸い込み温度検知手段と、室内の設定温度、室内温度、室外吸い込み温度を記憶する温度記憶手段と、前記室内吸い込み温度検知手段により検知された室内吸い込み温度と前記室外吸い込み温度検知手段により検知された室外吸い込み温度と前記温度記憶手段に記憶された設定温度より自動運転における冷房・除湿もしくは暖房の判定を行なう運転モード判定手段と、前記運転モード判定手段により判定されたモードで運転中に、ユーザーにより手動で運転モードの変更が行われたことを検知する手動モード変更検知手段とを備え、運転モードが冷房系から暖房又はその逆へ手動で変更された場合、そのときの前記室内吸い込み温度と、前記室外吸い込み温度と、前記室内設定温度より運転モード判定の閾値を補正するもので、次回の運転からは、そのユーザーの好みに合った運転モードで運転することができ、快適性の向上を図ることができる。
【発明の効果】
【０００７】
本発明の空気調和機は、自動運転により判定された運転モードで運転中に、モード判定の結果がユーザーの好みと合わずに手動で変更された場合に、モード判定の閾値を補正することで、次回の判定からは、ユーザーの好みに合った運転モードでの運転が可能となる。
【図面の簡単な説明】
【０００８】
【図１】本発明の実施の形態１における空気調和機の概略図
【図２】同空気調和機の制御におけるブロック図
【図３】同空気調和機の制御を示すフローチャート
【図４】本発明の実施の形態２における空気調和機の制御を示すフローチャート
【図５】本発明の実施の形態３における空気調和機の制御を示すフローチャート
【発明を実施するための形態】
【０００９】
第１の発明は、室内側ユニットと室外側ユニットから構成され、前記室内側ユニットの吸い込み温度を検知する室内吸い込み温度検知手段と、前記室外側ユニットの吸い込み温度を検知する室外吸い込み温度検知手段と、室内の設定温度、室内温度、室外吸い込み温度を記憶する温度記憶手段と、前記室内吸い込み温度検知手段により検知された室内吸い込み温度と前記室外吸い込み温度検知手段により検知された室外吸い込み温度と前記温度記憶手段に記憶された設定温度より自動運転における冷房・除湿もしくは暖房の判定を行なう運転モード判定手段と、前記運転モード判定手段により判定されたモードで運転中に
、ユーザーにより手動で運転モードの変更が行われたことを検知する手動モード変更検知手段とを備え、運転モードが冷房系から暖房又はその逆へ手動で変更された場合、そのときの前記室内吸い込み温度と、前記室外吸い込み温度と、前記室内設定温度より運転モード判定の閾値を補正するもので、次回の運転からは、そのユーザーの好みに合った運転モードで運転することができ、快適性の向上を図ることができる。
【００１０】
第２の発明は、特に、第１の発明の空気調和機において、運転開始からの時間がある一定時間以上経過した場合には、運転モード判定の閾値の補正を行わないもので、運転直後のモード判定が好みに合わなかったための変更か、周囲の環境が変わったための変更かを区別することが出来、不要な補正が行われることのないようにすることが可能となり、快適性の向上が図れる。
【００１１】
第３の発明は、特に、第１又は第２の発明の空気調和機において、一定時間内に運転モードが変更前のモードもしくは自動モードに戻された場合には、運転モード判定の閾値の補正を解除するもので、ユーザーが誤ってモード変更をしてしまった場合に、補正が行われないようにすることが出来、不要な補正が行われず快適性の向上が図れる。
【００１２】
以下、本発明の実施の形態について、図面を参照しながら説明する。なお、この実施の形態によって本発明が限定されるものではない。
【００１３】
（実施の形態１）
本発明の実施の形態１における空気調和機について、図１〜３を用いて説明する。図１は、本実施の形態１における空気調和機の概略図である。
【００１４】
図１において、本実施の形態における空気調和機は、室内側ユニット１と室外側ユニット２から構成され、室内側ユニット１には、室内側ユニット１の吸い込み温度を検知する室内吸い込み温度検知手段３と、室内熱交換器４と、室内熱交換器温度センサ５と、室内送風装置６を備え、室外ユニット２には、室内側ユニット２の吸い込み温度を検知する室外吸い込み温度検知手段７と、室外熱交換器８と、室外熱交換器温度センサ９と、室外送風装置１０と、圧縮機１１と、絞り機構１２と、四方弁１３を備えている。
【００１５】
図２は、本実施の形態における空気調和機の制御におけるブロック図である。
【００１６】
図２において、室内設定温度記憶手段Ｂ１、室内吸い込み温度検知手段３、室外吸込み温度検知手段７からの情報により、運転モード判定手段Ｂ４で運転モードの判定を行う。そして、手動モード変更検知手段Ｂ５で、手動による運転モードの変更を検出すると、温度記憶手段Ｂ６で室内・室外温度と設定温度の記憶を行う。
【００１７】
また、運転時間を計測する運転時間計測手段Ｂ７、運転時間記憶手段Ｂ８、運転時間比
較手段Ｂ９、連続したモード変更を検出する連続モード判定検知手段Ｂ１０のそれぞれの条件を満たした場合に、自動モード閾値変更手段Ｂ１１でモード変更閾値の補正を実行する。
【００１８】
図３に、本実施の形態における空気調和機の制御を示すフローチャートを示している。
【００１９】
図３において、自動運転開始時（ＳＴ１）には、ＳＴ２により、室内吸い込み温度検知手段３、室外吸い込み温度検知手段７、設定温度記憶手段Ｂ１によりそれぞれの温度を取得する。
【００２０】
次に、ＳＴ３では、ＳＴ２で得られた各温度から運転モード判定手段Ｂ４により、運転
モード判定を行い、決定された運転モードで運転を開始する（ＳＴ４）。その後ＳＴ５で、手動モード変更検知手段Ｂ５により、たとえば、手動で冷房から暖房へ運転モードが変更されたことが検知された場合に、ＳＴ６では、そのときの室内温度、室外気温、設定温度を記憶する。
【００２１】
この情報を元に、ＳＴ７では、モード変更の温度閾値の補正を行う。具体的には、モード判定は、外気温度に応じて、設定温度と室内温度の差を比較し、冷房系か暖房を判断している。たとえば室内、室外温度２２℃で、設定温度２０℃のときに、暖房運転と判定された場合、ユーザーが暑いと感じ冷房系に運転モードを変更すると、この外気温度では室内温度より設定温度が２℃低い場合冷房系運転が必要となるため、それが実現可能となるように閾値が２０℃以下になるように補正を行う。
【００２２】
（実施の形態２）
図４は、本発明の実施の形態２における空気調和機の制御を示すフローチャートである。尚上記実施の形態１における空気調和機と同一部分には、同一符合を付してその説明を省略する。
【００２３】
本実施の形態における空気調和機の制御は、上記実施の形態１における制御と同等の手順で、手動モード変更検知手段Ｂ５により、モード変更が確認された場合（ＳＴ９）、ＳＴ１０で、そのときの室内温度、室外気温、設定温度を記憶する。その後ＳＴ１１の運転時間記憶手段Ｂ８に記憶されている運転時間（ＴＩＭＥ）と、予め設定された一定時間（Ｔ１）とを比較して、Ｔ１未満の場合には（ＳＴ１２）、モード変更の閾値補正を実施する（ＳＴ１３）。
【００２４】
ここで、運転時間（ＴＩＭＥ）が一定時間Ｔ１以上の場合には、今回のモード変更は、自動運転開始時のモード変更に対してではなく、その後の状況の変化によりモード変更された可能性が高いために、閾値変更を実施しない（ＳＴ１４）。
【００２５】
（実施の形態３）
図５は、本発明の実施の形態３における空気調和機の制御を示すフローチャートである。尚上記実施の形態における空気調和機と同一部分には、同一符合を付してその説明を省略する。
【００２６】
本実施の形態における空気調和機の制御においては、モード判定閾値の補正後（ＳＴ１５）、再び手動モード変更検知手段Ｂ５により、モード変更が検知された場合（ＳＴ１６）、その変更が、モード変更前のモードもしくは自動運転に戻された場合（ＳＴ１７）、その変更が、前回変更してからの時間と予め決められた時間とを比較し、その時間未満であれば（ＳＴ１８）、前回のモード変更は、間違いもしくは不要なものであったとして、ユーザーにとって閾値の補正は必要ないので、前回の補正値を解除する（ＳＴ１９）とい
うものである。
【産業上の利用可能性】
【００２７】
以上のように本発明に係る空気調和機は、ユーザーの好みに合った運転モードでの運転ができるもので、家庭用、業務用を問わず各種空気調和機に適用できる。
【符号の説明】
【００２８】
１  室内側ユニット
２  室外側ユニット
３  室内吸い込み温度検知手段
４  室内熱交換器
５  室内熱交換器温度センサ
６  室内送風装置
７  室外吸い込み温度検知手段
８  室外熱交換器
９  室外熱交換器温度センサ
１０  室外送風装置
１１  圧縮機
１２  絞り機構
１３  四方弁
Ｂ４  運転モード判定手段
Ｂ５  手動モード変更検知手段
Ｂ６  温度記憶手段
【図１】
2010261610.tif 000003
【図２】
2010261610.tif 000004
【図３】
2010261610.tif 000005
【図４】
2010261610.tif 000006
【図５】
2010261610.tif 000007